(57)【要約】【課題】  変形しにくいリング本体に、大きな装飾体を保持させた指輪を提供することである。【解決手段】  リング本体３を鍛造によって形成するとともに、装飾体１を保持するための保持枠２を鋳造によって形成し、装飾体の保持枠２を、リング本体３に溶接によって結合した。【選択図】  図２
2017113490.tif 000002
【特許請求の範囲】
【請求項１】
鍛造によって形成されたリング本体に、鋳造によって形成された、装飾体の保持枠を結合してなる指輪。
【請求項２】
上記リング本体の外周に、上記保持枠が結合された請求項１に記載の指輪。
【請求項３】
上記リング本体は、円周上の一部を開口させた開口部を備えるとともに、
上記開口部に結合された上記保持枠によって、上記開口が閉鎖された請求項１に記載の指輪。
【発明の詳細な説明】
【技術分野】
【０００１】
この発明は、装飾品としての指輪に関する。
【背景技術】
【０００２】
従来から、鍛造によって形成される指輪がある。
例えば、特許文献１の指輪は、鍛造によって形成されたリング本体の外周に、切削加工によって小さな爪を形成し、メレダイヤなどの装飾体を固定したものである。
このような指輪において、もしもリング本体が変形すれば、爪が開いてしまったり、装飾体を保持している凹部が変形して装飾体を押し出してしまったりして、装飾体が外れてしまうことがある。
また、装飾体を埋め込む代わりに、リング本体の表面に、模様を描いたり彫刻をしたりした指輪も、リング本体が変形してしまえば、見た目の印象も変わってしまい、所期のデザイン効果を維持できないことになってしまう。
しかし、鍛造によって形成されたリング本体は、硬度が高く変形しにくいため、リング本体に形成した爪が保持した装飾体が外れてしまったり、デザインが変化してしまったりするようなことがない。
【先行技術文献】
【特許文献】
【０００３】
【特許文献１】特開２００６−１５８６７２号公報
【発明の概要】
【発明が解決しようとする課題】
【０００４】
上記したように、鍛造で形成されたリング本体は変形しにくいというメリットがある。
しかし、鍛造によって形成されるリング本体は、全周にわたってその厚みをほぼ一定にせざるを得ない。なぜなら、圧縮、圧延工程によって硬化する鍛造のメリットを十分に発揮させるために、全周にほぼ均一な圧力を作用させて成形する必要があるからである。
つまり、鍛造で形成したリング本体に、一箇所に極端に厚みが厚い部分を形成することは難しかった。このように、リング本体の厚みが薄いので、鍛造で形成したリング本体に、切削加工によって、大きな装飾体を保持するための深い爪溝や、大きな爪を形成することができず、例えば、エンゲージリングのダイヤモンドのような大きな装飾体を保持させることはできなかった。
この発明の目的は、変形しにくいリング本体に、大きな装飾体を保持させた指輪を提供することである。
【課題を解決するための手段】
【０００５】
第１の発明は、鍛造によって形成されたリング本体に、鋳造によって形成された、装飾体の保持枠を結合してなることを特徴とする。
【０００６】
第２の発明は、上記リング本体の外周に、上記保持枠が結合されたことを特徴とする。
【０００７】
第３の発明は、上記リング本体が、円周上の一部を開口させた開口部を備えるとともに、上記開口部に結合された上記保持枠によって、上記開口が閉鎖されたことを特徴とする。
【発明の効果】
【０００８】
この発明によれば、変形しにくいリング本体に、鍛造と比べてデザインの自由度が大きい鋳造によって形成された保持枠を連結して、大きな装飾体を保持しながら、変形しにくい指輪を実現できる。
この発明のリング本体は変形しにくいので、リング本体の変形によって装飾体の保持枠に歪みが及ぶようなことがない。したがって、鍛造と比べて硬度がそれほど高くない鋳造によって形成された保持枠も、変形しにくく、保持している装飾体が外れてしまうことがない。
また、例えばリング本体に形成した爪に、小さな装飾体を保持させた場合でも、装飾体が脱落してしまうようなことがないし、その他、リング本体表面に施されたデザインも変形することがない。
【０００９】
第２の発明によれば、高硬度のリング本体に、様々な形状の保持枠を結合することができる。保持枠をリング本体の外周に結合するので、シング本体の大きさなどにかかわりなく、保持枠を自由にデザインでき、様々な装飾体を取り付けることができる。
【００１０】
第３の発明によれば、リング本体の一部に、保持枠が嵌め込まれることになるので、リング本体の外周に保持枠を結合する場合と比べて、リング本体からの装飾体の突出量が小さくなる。そのため、装飾体が大きくても、リング本体との一体性が高いデザインを実現することができる。
また、リング本体に対する上記保持枠の固定位置が、一定になり、保持枠の固定作業がやりやすくなる。
【図面の簡単な説明】
【００１１】
【図１】第１実施形態の指輪の平面図である。
【図２】第１実施形態の指輪の部品の平面図である。
【図３】第２実施形態のリング本体の平面図である。
【図４】第２実施形態の指輪の平面図である。
【発明を実施するための形態】
【００１２】
図１，２に示す第１実施形態の指輪は、装飾体１を保持するための保持枠２をリング本体３の外周に溶接で固定したものである。なお、図中の符号４は溶接部である。
上記保持枠２は、貴金属を鋳造することで形成した部品で、装飾体１を嵌め込む凹状の座部２ａと爪部２ｂとを備えている。
一方、リング本体３は、上記保持枠２と同様の貴金属の鍛造によって形成された部品である。このリング本体３は、上記保持枠２と比べて、かなり高硬度の部品である。例えば、ビッカース硬度Ｈｖは、保持枠２の硬度Ｈｖが１００程度であるのに対し、リング本体３の硬度Ｈｖは２５０以上である。
【００１３】
このような保持枠２と、リング本体３とを別々に形成して、図２に示すように、上記保持枠２を、リング本体３の所定の取り付け部３ａに溶接によって固定する。
このようにして、保持枠２をリング本体３に固定したら、保持枠２の座部２ａに装飾体１を嵌め、爪部２ｂを変形させて装飾体１を留める。
このようにした指輪は、リング本体３が変形しにくいので、低硬度の保持枠２に対しても、応力を作用させることがなく、装飾体１が外れてしまうようなことがない。
【００１４】
また、リング本体３が変形しないので、例えば、リング本体３の外周に施したデザインが変形することもないし、リング本体３に形成した小さな爪によって図示しない装飾体を保持させた場合にも、それが脱落してしまうようなことがない。
なお、リング本体３に装飾体を保持するための爪は、切削加工によって形成することができる。
【００１５】
一方、装飾体の保持枠２は、鋳造によって形成されるので、様々なデザインを自由に選択することができる。そのため、装飾体１をしっかり保持でき、デザイン性にも優れたデザインを実現できる。また、装飾体１の大きさも、形状も自由に選択できる。
つまり、この第１実施形態の指輪は、大きな装飾体１を保持しながら、リング本体３を変形しにくくしたものである。
【００１６】
なお、上記リング本体３の取り付け部３ａに、凹みなどを形成してその位置を明確にすることで、連結作業を容易にすることができる。
また、上記保持枠２の座部２ａの底面外周にピン状の突起を形成するとともに、リング本体３の上記取り付け部３ａに、上記突起を嵌め込むための取り付け穴を形成して、両部品の位置決めをすることもできる。
【００１７】
さらに、上記保持枠２の座部２ａの外周に沿って外方へ突出した止め凸部を形成し、この止め凸部をリング本体３に溶接するようにしてもよい。特に、上記止め凸部に、デザイン性を持たせれば、この止め凸部を介してリング本体３と保持枠２とのデザイン上の一体性を持たせたり、新たなデザイン効果を発揮させたりすることができる。
また、上記止め凸部を設けることによって、溶接部が大きくなるため、保持枠２の確実な固定がやりやすくなるというメリットもある。
【００１８】
図３，４に示す第２実施形態は、鍛造で形成したリング本体５に、上記第１実施形態と同じ、装飾体の保持枠２を取り付けた指輪である。
上記リング本体５は、円周上の一部を切り取った開口部５ａを備えている。この開口部５ａは、鍛造によって形成された上記第１実施形態のリング本体３の一部を切り取って形成したものである。
ただし、上記開口５ａを備えたリング本体５を、型鍛造によって直接形成することも可能である。
【００１９】
そして、上記保持枠２を、リング本体５の開口部５ａに合わせて溶接し、保持枠２によって上記開口部５ａを塞ぐようにする。そして、リング本体５と一体となった上記保持枠２の座部２ａに装飾体１を嵌め、爪部２ｂを変形させて装飾体１を留める。
この第２実施形態の指輪も、鍛造で形成したリング本体５の硬度が高く、リング本体５はほとんど変形しない。リング本体５が変形しないため、開口部５ａに設けた保持枠２に、応力が作用することもないし、リング本体５のデザインが変わってしまうこともない。
しかも、上記保持枠２を自由にデザインできるので、大きな装飾体１や、様々な形状の装飾体１を取り付けることができる。ただし、この第２実施形態では、上記保持枠２の大きさやデザインは、リング本体５の開口部５ａに嵌る範囲にする必要がある。
【００２０】
また、この第２実施形態では、開口部５ａ内に保持枠２を留めるようにしているので、リング本体５からの上記保持枠２及び装飾体１の突出量が小さくなる。そのため、第１実施形態の指輪と比べてリング本体５と装飾体１との一体性の高いデザインとなる。
さらに、リング本体５における上記保持枠２の取り付け位置が開口部５ａなので、位置決めしやすく、保持枠２の固定作業がやりやすいというメリットもある。
また、上記開口部５ａを有するリング本体５に対しても、外周に突出させた止め凸部を備えた保持枠を用いることで、デザイン性を向上させたり、固定し易くしたりすることができる。
【００２１】
なお、上記第１，２実施形態のリング本体３，５はいずれも、全周にわたって一定の厚みを有するものであるが、鍛造でも、多少の厚みの差を付けたり、円を変形させた形状にして、リング本体の形状にデザイン性をもたせることができる。この第１，２実施形態の指輪は、上記のようにデザイン性をもたせたリング本体の形状も変化しない。
つまり、上記指輪は、リング本体３，５の形状とともに、装飾体１の保持枠２の形状も保たれ、長期にわたって指輪全体のデザインを維持することができるものである。
【産業上の利用可能性】
【００２２】
この発明は、常時嵌めているような指輪に、特に適している。
【符号の説明】
【００２３】
１      装飾体
２      保持枠
３      リング本体
３ａ      取り付け部
４      溶接部
５      リング本体
５ａ      開口部
【図１】
2017113490.tif 000003
【図２】
2017113490.tif 000004
【図３】
2017113490.tif 000005
【図４】
2017113490.tif 000006
【手続補正書】
【提出日】平成28年11月18日(2016.11.18)
【手続補正１】
【補正対象書類名】特許請求の範囲
【補正対象項目名】全文
【補正方法】変更
【補正の内容】
【特許請求の範囲】
【請求項１】
鍛造によって形成されたリング本体の外周に、鋳造によって形成された保持枠が結合されるとともに、
この鋳造によって形成された保持枠は、装飾体を嵌める座部と、この座部における装飾体を止める爪部とからなる指輪。
【請求項２】
上記リング本体は、円周上の一部を開口させた開口部を備えるとともに、
上記開口部に結合された上記保持枠によって、上記開口が閉鎖された請求項１に記載の指輪。
【手続補正２】
【補正対象書類名】明細書
【補正対象項目名】０００２
【補正方法】変更
【補正の内容】
【０００２】
従来から鍛造でリング本体を形成した指輪が知られているが、そのリング本体の外周に、切削加工によって小さな爪を形成し、メレダイヤなどの装飾体を固定したものである。
一方、指輪において、もしもリング本体が変形すれば、爪が開いてしまったり、装飾体を保持している凹部が変形して装飾体を押し出してしまったりして、装飾体が外れてしまうことがある。
また、装飾体を埋め込む代わりに、リング本体の表面に、模様を描いたり彫刻をしたりした指輪も、リング本体が変形してしまえば、見た目の印象も変わってしまい、所期のデザイン効果を維持できないことになってしまう。
しかし、鍛造によって形成されたリング本体は、硬度が高く変形しにくいため、リング本体に形成した爪が保持した装飾体が外れてしまったり、デザインが変化してしまったりするようなことがない。
【手続補正３】
【補正対象書類名】明細書
【補正対象項目名】０００４
【補正方法】変更
【補正の内容】
【０００４】
上記したように、鍛造で形成されたリング本体は変形しにくいというメリットがある。
しかし、鍛造によって形成されるリング本体は、全周にわたってその厚みをほぼ一定にせざるを得ない。なぜなら、鍛造のメリットを十分に発揮させるために、全周にほぼ均一な力を作用させて成形する必要があるからである。
つまり、鍛造で形成したリング本体では、一箇所に極端に厚みが厚い部分を形成することが難しかった。
このような理由で、鍛造で形成されたリング本体は、部分的に厚みを厚くすることができない。その結果、デザイン性を考慮すれば、全体的にリング本体の厚みを薄くせざるを得ない。リング本体の厚みを薄くすれば、鍛造で形成したリング本体に、切削加工によって、大きな装飾体を保持するための深い爪溝や、大きな爪を形成することができず、例えば、エンゲージリングのダイヤモンドのような大きな装飾体を保持させることはできなかった。
この発明の目的は、変形しにくいリング本体に、大きな装飾体を保持させた指輪を提供することである。
【手続補正４】
【補正対象書類名】明細書
【補正対象項目名】０００５
【補正方法】変更
【補正の内容】
【０００５】
第１の発明は、鍛造によって形成されたリング本体の外周に、鋳造によって形成された保持枠が結合されるとともに、この鋳造によって形成された保持枠は、装飾体を嵌める座部と、この座部における装飾体を止める爪部とからなる。
【手続補正５】
【補正対象書類名】明細書
【補正対象項目名】０００６
【補正方法】削除
【補正の内容】
【手続補正６】
【補正対象書類名】明細書
【補正対象項目名】０００７
【補正方法】変更
【補正の内容】
【０００７】
第２の発明は、上記リング本体が、円周上の一部を開口させた開口部を備えるとともに、上記開口部に結合された上記保持枠によって、上記開口が閉鎖されたことを特徴とする。
【手続補正７】
【補正対象書類名】明細書
【補正対象項目名】００１３
【補正方法】変更
【補正の内容】
【００１３】
このような保持枠２と、リング本体３とを別々に形成して、図２に示すように、上記保持枠２を、リング本体３の所定の取り付け部３ａに溶接によって固定する。
このようにして、保持枠２をリング本体３に固定したら、保持枠２の座部２ａに装飾体１を嵌め、爪部２ｂを変形させて装飾体１を留める。
このようにした指輪は、リング本体３が変形しにくい。このようにリング本体が変形しないので、従来のようにリング本体の変形によって、装飾体１の保持枠２に応力が作用するようなことはなくなる。そのため、鋳造によって形成された低硬度の保持枠２も変形しにくくなり、装飾体１がリング本体から外れてしまうようなことがない。
【手続補正８】
【補正対象書類名】明細書
【補正対象項目名】００１５
【補正方法】変更
【補正の内容】
【００１５】
一方、装飾体の保持枠２は、鋳造によって形成されるので、様々なデザインを自由に選択することができる。そのため、装飾体１をしっかり保持しながら、デザイン性にも優れたデザインを実現できる。また、装飾体１の大きさも、形状も自由に選択できる。
つまり、この第１実施形態の指輪は、大きな装飾体１を保持しながら、リング本体３を変形しにくくしたものである。
【手続補正９】
【補正対象書類名】明細書
【補正対象項目名】００１９
【補正方法】変更
【補正の内容】
【００１９】
そして、リング本体５にはその開口部５ａに合わせて、上記保持枠２を溶接し、保持枠２によって上記開口部５ａを塞ぐようにする。そして、リング本体５と一体となった上記保持枠２の座部２ａに装飾体１を嵌め、爪部２ｂを変形させて装飾体１を留める。
この第２実施形態の指輪も、鍛造で形成したリング本体５の硬度が高く、リング本体５はほとんど変形しない。リング本体５が変形しないため、開口部５ａに設けた保持枠２に、応力が作用することがなく、保持枠２が変形して装飾体１が外れてしまうことがない。また、リング本体５のデザインが変わってしまうこともない。
しかも、上記保持枠２を自由にデザインできるので、大きな装飾体１や、様々な形状の装飾体１を取り付けることができる。ただし、この第２実施形態では、上記保持枠２の大きさやデザインは、リング本体５の開口部５ａに嵌る範囲にする必要がある。
【手続補正１０】
【補正対象書類名】明細書
【補正対象項目名】００２１
【補正方法】変更
【補正の内容】
【００２１】
なお、上記第１，２実施形態のリング本体３，５はいずれも、全周にわたって一定の厚みを有するものであるが、鍛造でも、多少の厚みの差を付けたり、円を変形させた形状にして、リング本体の形状にデザイン性をもたせることができる。この第１，２実施形態の指輪は、上記のようにリング本体３，５の形状にデザイン性をもたせた場合にも、その形状が変化しない。
つまり、上記指輪は、リング本体３，５の形状とともに、装飾体１の保持枠２の形状も保たれ、長期にわたって指輪全体のデザインを維持することができるものである。